(57)【要約】【課題】簡易な制御でデータ記録品質を向上する。【解決手段】光ディスク装置は、予め、再生フォーカス位置と記録フォーカス位置とのフォーカスオフセット量を仮オフセット量として各ディスク種類ごとに設定、記憶しておく。そして、記録フォーカス位置を特定する際には、公知技術で取得された再生フォーカス位置から仮オフセット量分だけずらした仮フォーカス位置Ａを算出する。そして、この仮フォーカス位置Ａを基準として、フォーカス位置をプラス方向およびマイナス方向それぞれに変移させながらデータ記録を行う。そして、そのときの、ＲＦ和信号のピークレベル変動量をモニタリングし、当該変動量が小さくなる位置Ｂを記録フォーカス位置として特定する。【選択図】図２
2008004152.tif 000002
【特許請求の範囲】
【請求項１】
光ビームを集光して光ディスクの記憶面に照射して、情報の記録再生を行う光ディスク装置において、
光ビームのフォーカス位置を可変するフォーカス位置可変手段と、
照射された光ビームが記録面で反射された反射光強度に基づいて、ＲＦ和信号を生成するＲＦ検出手段と、
データ記録を行う際に、フォーカス位置可変手段によりフォーカス位置を変動させながらデータ記録を実行させるとともに、その際にＲＦ検出手段で検出されたＲＦ和信号のピークレベルの変動量に基づいてデータ記録に適したフォーカス位置を記録フォーカス位置として特定するフォーカス位置特定手段と、
を備えることを特徴とする光ディスク装置。
【請求項２】
請求項１に記載の光ディスク装置であって、
フォーカス位置特定手段は、予め、簡易的に特定された仮フォーカス位置を基準としてフォーカス位置を変動させることを特徴とする光ディスク装置。
【請求項３】
請求項２に記載の光ディスク装置であって、さらに、
再生フォーカス位置と記録フォーカス位置とのオフセット量をディスク種類ごとに仮オフセット量として記憶した記憶手段を有し、
フォーカス位置特定手段は、再生品質に基づいて決定された再生フォーカス位置から仮オフセット量分だけ、ずらした位置を仮フォーカス位置として特定することを特徴とする光ディスク装置。
【請求項４】
請求項２または３に記載の光ディスク装置であって、
フォーカス位置特定手段は、仮フォーカス位置を基準としてプラス方向およびマイナス方向に微少量フォーカスを移動させてＲＦ和信号のピークレベル変動量が減少する方向を判断し、仮フォーカス位置から当該減少する方向に仮オフセット量に所定の係数を乗じた距離だけ移動した位置を記録フォーカス位置として特定することを特徴とする光ディスク装置。
【請求項５】
請求項１から３のいずれか１項に記載の光ディスク装置であって、
フォーカス位置特定手段は、ＲＦ和信号のピークレベル変動量が所定の基準値以下となるフォーカス位置を記録フォーカス位置として特定することを特徴とする光ディスク装置。
【請求項６】
請求項５に記載の光ディスク装置であって、
フォーカス位置特定手段は、ＲＦ和信号のピークレベル変動量が最小となるフォーカス位置を記録フォーカス位置として特定することを特徴とする光ディスク装置。
【請求項７】
請求項１から６のいずれか１項に記載の光ディスク装置であって、
フォーカス位置特定手段は、半径方向に一定距離移動するたびに記録フォーカス位置の特定を行うことを特徴とする光ディスク装置。
【請求項８】
請求項１から６のいずれか１項に記載の光ディスク装置であって、
フォーカス位置特定手段は、所定時間ごとに記録フォーカス位置の特定を行うことを特徴とする光ディスク装置。
【発明の詳細な説明】
【技術分野】
【０００１】
本発明は、光ビームを集光して光ディスクの記憶面に照射して、情報の記録または再生を行う光ディスク装置に関する。
【背景技術】
【０００２】
周知の通り、光ビームを集光して光ディスクの記憶面に照射して、情報の記録または再生を行う光ディスク装置において、好適なデータの再生、記録を行うためには、光ビームを適切な位置でフォーカスさせることが必要となる。したがって、通常、光ディスク装置では、トラッキングエラー信号値などに基づいて好適なデータ再生が行えるフォーカス位置を決定している。また、再生に適したフォーカス位置と、記録に適したフォーカス位置とは必ずしも一致しないことが知られている。そこで、一般的には、再生に適したフォーカス位置と記録に適したフォーカス位置とのズレ量、いわゆる、フォーカスオフセット量をディスク種類ごとに設定しておき、再生フォーカス位置から当該フォーカスオフセット量分だけずらした位置を記録フォーカス位置としてデータ記録を実行している。このように、再生フォーカス位置から記録フォーカス位置までのフォーカスオフセット量を予め設定しておくことにより、フォーカス制御を簡易化できる。
【０００３】
しかしながら、上記手法では、簡易である反面、データ記録品質が低くなる場合があるという問題がある。すなわち、好適なデータ記録が可能なフォーカス位置は、光ビームを照射する光ピックアップや光ディスクの個体差、データ記録位置（ディスク半径位置）など、種々の条件によって、適宜、微妙に異なる。予め設定されたフォーカスオフセット量に基づいて記録フォーカス位置を決定した場合、この固体差や記録位置に起因するフォーカス位置の違いを反映することができず、記録品質の低下を招く。特に、複数の記録層を積層した多層ディスクでは、好適なデータ記録が可能なフォーカス位置範囲が狭く、許容誤差量は小さい。したがって、固体差や記録位置の違いが、記録品質に大きな影響を与える。
【０００４】
【特許文献１】特開２００３−１７３５４９号公報
【特許文献２】特開２００５−１４１８５１号公報
【特許文献３】特開２０００−３３９７２７号公報
【発明の開示】
【発明が解決しようとする課題】
【０００５】
そこで、一律に規定されたフォーカスオフセット量を用いるのではなく、各ディスクごとに好適なフォーカスオフセット量（フォーカス位置）を求める技術が従来から多数提案されている。例えば、特許文献１〜３には、フォーカス位置やサーボ状態などを変化させながら動作させた際に得られる、各種パラメータの値に基づいてデータの記録や再生時に用いられるフォーカス位置を求める技術が開示されている。かかる技術によれば、光ディスクや光ピックアップの持つ固体差や記録位置などの各種条件の違いを反映した適切なフォーカス位置を求めることができる。
【０００６】
しかしながら、これら従来技術はいずれも、フォーカス位置の特定に際して、比較的複雑な手順を必要としていた。そのため、再生・記録品質が向上する一方で、光ディスク装置の制御が煩雑になるという問題があった。
【０００７】
ところで、光ピックアップの特性は一律ではなく、光ピックアップの種類によって、フォーカス位置と、光ピックアップで得られる信号の値との関係が異なる場合がある。例えば、光ピックアップの中には、記録時におけるフォーカスサーボ残差に同期して、ＲＦ和信号のピークレベル変動量が変動するものがある。このような特性を有する光ピックアップの場合、ＲＦ和信号のピークレベル変動量に基づいてフォーカス制御ができ得る可能性がある。しかし、従来の技術では、かかる光ピックアップの種類ごとの特性の違いについては考慮されていなかった。
【０００８】
そこで、本発明では、簡易な制御でデータ記録品質を向上でき得る光ディスク装置を提供することを目的とする。
【課題を解決するための手段】
【０００９】
本発明の光ディスク装置は、光ビームを集光して光ディスクの記憶面に照射して、情報の記録再生を行う光ディスク装置において、光ビームのフォーカス位置を可変するフォーカス位置可変手段と、照射された光ビームが記録面で反射された反射光強度に基づいて、ＲＦ和信号を生成するＲＦ検出手段と、データ記録を行う際に、フォーカス位置可変手段によりフォーカス位置を変動させながらデータ記録を実行させるとともに、その際にＲＦ検出手段で検出されたＲＦ和信号のピークレベルの変動量に基づいてデータ記録に適したフォーカス位置を記録フォーカス位置として特定するフォーカス位置特定手段と、を備えることを特徴とする。
【００１０】
好適な態様で、フォーカス位置特定手段は、予め、簡易的に特定された仮フォーカス位置を基準としてフォーカス位置を変動させる。この場合、さらに、再生フォーカス位置と記録フォーカス位置とのオフセット量をディスク種類ごとに仮オフセット量として記憶した記憶手段を有し、フォーカス位置特定手段は、再生品質に基づいて決定された再生フォーカス位置から仮オフセット量分だけ、ずらした位置を仮フォーカス位置として特定することが望ましい。
【００１１】
他の好適な態様では、フォーカス位置特定手段は、仮フォーカス位置を基準としてプラス方向およびマイナス方向に微少量フォーカスを移動させてＲＦ和信号のピークレベル変動量が減少する方向を判断し、仮フォーカス位置から当該減少する方向に仮オフセット量に所定の係数を乗じた距離だけ移動した位置を記録フォーカス位置として特定する。
【００１２】
他の好適な態様では、フォーカス位置特定手段は、ＲＦ和信号のピークレベル変動量が所定の基準値以下となるフォーカス位置を記録フォーカス位置として特定する。この場合、フォーカス位置特定手段は、ＲＦ和信号のピークレベル変動量が最小となるフォーカス位置を記録フォーカス位置として特定することが望ましい。
【００１３】
他の好適な態様では、フォーカス位置特定手段は、半径方向に一定距離移動するたびに、あるいは、所定時間経過するたびに、記録フォーカス位置の特定を行う。
【発明の効果】
【００１４】
本発明によれば、各光ディスクごとに、ＲＦ和信号のピークレベルの変動量に基づいてデータ記録に適したフォーカス位置を記録フォーカス位置として特定するため、好適なフォーカス位置でデータ記録を行うことができる。
【発明を実施するための最良の形態】
【００１５】
以下、本発明の実施形態について図面を参照して説明する。図１は、本発明の実施形態である光ディスク装置の概略構成を示すブロック図である。
【００１６】
光ディスク１００はクランパによりクランプされ、スピンドルモータ１２により高速で回転させられる。光ピックアップ（ＰＵ）１４は光ディスク１００に対向配置され、光ディスク１００の表面にレーザ光を照射するレーザダイオード（ＬＤ）及びフォトディテクタを含んで構成される。レーザダイオードは、レーザダイオード駆動回路（ＬＤＤ）１６により駆動され、データを再生する際には再生パワーのレーザ光を照射し、記録する際には記録パワーのレーザ光を照射する。光ピックアップ１４のフォトディテクタは、記録面で反射された反射光の状態に応じた検出信号をＲＦ検出部１８およびサーボ検出部２０に出力する。なお、後に詳説するが、この光ピックアップは、データ記録時において、フォーカスサーボ残差に応じて、ＲＦ和信号のピークレベル変動量が変化するという特性を有している。
【００１７】
サーボ検出部２０は、光ピックアップ１４からの信号に基づきトラッキングエラー信号及びフォーカスエラー信号を生成してコントローラ３２に出力する。トラッキングエラー信号は差動プッシュプル法や位相差法、３ビーム法など、種々の公知技術によって生成される。フォーカスエラー信号も、非点収差法やスポットサイズ法など、種々の公知技術に従って生成される。
【００１８】
トラッキング制御部２４は、光ビームのトラック幅方向の位置がコントローラ３２から指示された位置になるべく、光ピックアップ１４を光ディスク１００のトラック幅方向に駆動してオントラック状態に維持する。また、フォーカス制御部２６は、光ビームのフォーカス位置がコントローラ３２で指示された位置になるべく、光ピックアップ１４をフォーカス方向に駆動してフォーカス制御を行う。
【００１９】
ＲＦ検出部１８は、光ピックアップ１４からの信号、具体的にはメインビームの反射光を受光するフォトディテクタからの和信号を増幅して再生ＲＦ信号を生成し、デコーダ３０及びコントローラ３２に出力する。
【００２０】
デコーダ３０は、イコライザや二値化器を備え、再生ＲＦ信号の所定周波数、具体的には３Ｔ信号の振幅をブーストして二値化し、二値化信号を復調してコントローラ３２に出力する。復調は、図示しないＰＬＬ回路で同期クロック信号を生成して信号を抽出することにより実行される。また、デコーダ３０は、二値化信号と同期クロックとの位相差を加算することでジッタを検出し、コントローラ３２に供給する。
【００２１】
コントローラ３２は、ユーザや上位装置からの駆動指令に基づいて光ディスク装置１０の各部を制御する。また、デコーダ３０やＲＦ検出部１８などから入力されるＲＦ和信号値やジッタ値などに基づいて、制御の際に必要な各種制御パラメータの値を求める。ここで、コントローラ３２が求める制御パラメータの一つとして、フォーカス位置が挙げられる。コントローラは、実際のデータ再生、記録に先立って、再生に適した再生フォーカス位置、および、記録に適した記録フォーカス位置をそれぞれ求め、求まったフォーカス位置でデータの記録、再生が行われる。
【００２２】
本実施形態では、周知の公知技術を用いて、再生フォーカス位置を求めている。また、記録フォーカス位置に関しては、再生フォーカス位置および予め規定された仮オフセット量で求まった仮フォーカス位置を基準として、フォーカス位置を変移させながらデータ記録を行ったときのＲＦ和信号の変動量に基づいて求めている。この記録フォーカス位置の求め方の具体的内容については後に詳説する。
【００２３】
メモリ３４には、光ディスクの駆動制御に必要な各種パラメータが記憶されている。このメモリ３４には、各ディスク種類ごとの仮オフセット量の値も記憶されている。仮オフセット量は、後に詳説するが、再生フォーカス位置と記録フォーカス位置との差、フォーカスオフセット量である。ただし、このメモリに記憶されている仮オフセット量は、あくまで、仮の値であり、実際の記録フォーカス位置特定の際には、当該仮オフセット量は参考として用いられるだけである。
【００２４】
次に、この光ディスク装置１０による記録フォーカス位置の特定の具体的内容について説明する。既述したように、本実施形態の光ディスク装置１０は、再生フォーカス位置と記録フォーカス位置とのオフセット量を、各ディスク種類ごとに設定し、記憶している。ただし、ここで規定されるオフセット量は、あくまで、仮のフォーカスオフセット量であり、各光ディスクや光ＰＵ１４の固体差、データ記録位置（ディスク半径位置）の相違に起因するフォーカス位置の相違を反映した値ではない。
【００２５】
しかしながら、従来は、この各ディスク種類ごとに設定されたオフセット量（仮オフセット量）分だけ再生フォーカス位置から、ずらした位置を記録フォーカス位置として特定していた。しかし、既述したとおり、事前に設定されたフォーカスオフセット量は、光ディスクや光ＰＵ１４の固体差を反映した値ではないため、当該手法により特定された記憶フォーカス位置では、好適なデータ記録ができない場合があった。特に、好適なデータ記録が可能となるフォーカス範囲が狭い多層光ディスクなどでは、この固体差が記録フォーカス位置の精度に与える影響は大きく、一律的に決められたオフセット量に基づいて決められた記録フォーカス位置では好適なデータ記録が出来ない場合が多かった。また、ディスク等の固体差だけでなく、データ記録位置（ディスク半径位置）によっても、好適なデータ記録が可能となるフォーカス位置は大きく異なっていた。そのため、一つのディスクに対して、単一のフォーカスオフセット量（仮オフセット量）しか設定していない従来技術では、好適なデータ記録を行うことは困難であった。
【００２６】
そこで、本実施形態では、各ディスクごと、あるいは、所定のデータ記録位置ごとに仮フォーカス位置の補正を行い、好適な記録フォーカス位置の特定をするようにしている。すなわち、記録フォーカス位置を特定する場合、コントローラは各部を駆動して、まず、再生フォーカス位置の特定を行う。再生フォーカス位置の特定は、周知の公知技術、例えば、フォーカス位置を変移させながらデータ再生を行い、得られるＲＦ和信号値が最大またはジッタ値が最小となる位置を再生フォーカス位置として特定する技術などを用いることができる。
【００２７】
再生フォーカス位置が特定できれば、続いて、再生フォーカス位置を仮オフセット量分だけずらした位置を仮フォーカス位置として算出する。そして、この仮フォーカス位置を基準として、フォーカス位置を、プラス方向（光ＰＵから見て奥側）およびマイナス方向（光ＰＵから見て手前側）にそれぞれ変移させながらデータ記録を行う。このデータ記録の際、コントローラは、ＲＦ検出部で検出されたＲＦ和信号値のピークレベルを検出するとともに、その値をメモリに一時記憶する。ここで、本実施形態で用いる光ＰＵ１４は、この記録時に得られるＲＦ和信号のピークレベルが、フォーカスサーボの残差に同期して変動するという特性を有している。換言すれば、この光ＰＵ１４において、ＲＦ和信号のピークレベルの変動が少ない場合には、フォーカスサーボの残差も少なく、高品質でのデータ記録が安定して行えるといえる。そこで、コントローラは、フォーカス位置の変移に伴い生じるＲＦ和信号値の変動量が最小となる位置を見出し、これを記録フォーカス位置として特定する。
【００２８】
図２は、フォーカス位置とＲＦ和信号のピークレベル変動量との関係を示す図である。図２において、横軸は、フォーカス位置を、縦軸はＲＦ和信号値のピークレベルの変動量を、それぞれ、示している。
【００２９】
図２において、再生フォーカス位置から、予め設定されている仮オフセット量分だけずらした仮フォーカス位置がＡ点であったとする。この状態で、記録フォーカス位置を特定する場合、コントローラ３２は、この仮フォーカス位置Ａを基準として、フォーカス位置をプラス方向およびマイナス方向にそれぞれ微少量、移動させる。図２の図示例では、ＲＦ和信号のピークレベル変動量は、フォーカス位置をプラス方向に移動させるにつれ増加し、マイナス方向に移動すれば減少することが分かる。したがって、この場合、コントローラ３２は、フォーカス位置を仮フォーカス位置Ａからマイナス方向に順次変移させ、ＲＦ和信号のピークレベル変動量が最小となるＢ点を記録フォーカス位置として特定する。
【００３０】
このように、各ディスクごと、あるいは、所定のデータ記録位置ごとに、ＲＦ和信号のピークレベル変動量に基づいて仮フォーカス位置の特定を行うことにより、光ディスクや光ＰＵの固体差や、データ記録位置の違いを反映した適切な記録フォーカス位置を得ることができる。その結果、高品質でのデータ記録が可能となる。また、この記録フォーカス位置の特定は、仮オフセット量および再生フォーカス位置に基づいて簡略的に求められた仮フォーカス位置を基準として行っている。そのため、記録フォーカス位置を特定するために変移させるフォーカス位置の移動量が小さくなり、比較的、短時間で簡易に好適な記録フォーカス位置を特定できる。
【００３１】
なお、上記説明では、ＲＦ和信号のピークレベル変動量が最小となる位置を記録フォーカス位置として特定しているが、一定基準以上の品質でデータ記録ができるのであれば、必ずしも、最小位置でなくてもよい。例えば、ＲＦ和信号のピークレベル変動量が予め設定された所定の閾値以下となる位置を記録フォーカス位置として特定してもよい。あるいは、仮オフセット量に所定の係数を乗じた距離だけ移動させた位置を記録フォーカス位置として特定するようにしてもよい。例えば、図３に図示するように、再生フォーカス位置および仮オフセット位置から仮フォーカス位置Ａが求まった場合を考える。このとき、記録フォーカス位置特定のために、コントローラ３２は、仮フォーカス位置Ａを基準として、マイナス方向およびプラス方向のそれぞれにフォーカス位置を微小変移させる。その結果、プラス方向への変移に伴ってＲＦ和信号のピークレベル変動量が減少することが分かる。この場合、コントローラ３２は、仮オフセット量Ｆに所定の係数ｎ％を乗じた分だけプラス方向に移動させた位置Ｂを記録フォーカス位置として特定する。
【００３２】
また、図４に図示するように、再生フォーカス位置および仮オフセット量に基づいて求まった仮フォーカス位置Ａが、ＲＦ和信号値のピークレベル変動量の最小位置となる場合もあり得る。この場合、仮フォーカス位置Ａからプラス方向およびマイナス方向のいずれにフォーカスを移動させても、ＲＦ和信号値ピークレベル変動量は増加することになる。したがって、この場合、コントローラ３２は、仮フォーカス位置Ａを記録フォーカス位置として特定する。
【００３３】
次に、この光ディスク装置での記録デフォーカス量決定の流れについて図５、図６を用いて説明する。光ディスク装置１０に光ディスク１００が搭載された場合（Ｓ１０）、コントローラ３２は、光ＰＵ１４やＲＦ検出部１８、デコーダ３０等を駆動して、この搭載された光ディスク１００のディスク種類を特定する（Ｓ１２）。また、メモリ３４に記録されている各ディスク種類ごとに設定された仮オフセット量の情報を参照して、搭載された光ディスク１００に対応する仮オフセット量を特定する（Ｓ１２）。特定された仮オフセット量はメモリ３４に一時記憶される。
【００３４】
その後、ＯＰＣ等の動作によりレーザ光の強度や、再生フォーカス位置などが公知技術を用いて決定される（Ｓ１４）。
【００３５】
再生フォーカス位置が決定されれば、続いて、記録フォーカス位置を決定する（Ｓ１６）。この記録フォーカス位置の特定の詳細な流れを図６に図示する。記録フォーカス位置を特定する場合は、まず、既に特定された再生フォーカス位置から、メモリ３４に一時記憶されている仮オフセット量分だけずらした仮フォーカス位置を算出する（Ｓ３０）。続いて、算出された仮フォーカス位置からプラス方向に徐々にフォーカス位置を移動させながらデータ記録を開始する（Ｓ３２）。このとき、コントローラ３２は、得られるＲＦ和信号のピークレベルの変動量が減少傾向にあるか、増加傾向にあるかを判断する（Ｓ３４）。
【００３６】
ＲＦ和信号のピークレベルの変動量が減少した場合、フォーカスサーボの残差も同期して減少しているといえる。したがって、ＲＦ和信号のピークレベルの変動量が減少した場合、この場合は、ＲＦ和信号のピークレベルの変動量が最小値をとるまで、プラス方向にフォーカス位置を移動させていく（Ｓ３６）。ＲＦ和信号のピークレベル変動量が最小値に達すれば、その時点でのフォーカス位置を記録フォーカス位置として特定する（Ｓ４４）。
【００３７】
一方、ステップＳ３４で、ＲＦ和信号のピークレベルの変動量が増加したと判断した場合には、さらに、フォーカス位置をプラス方向に移動させても、レベル変動量は減少しないと予想される。したがって、この場合は、フォーカス位置をマイナス方向に徐々に移動させてデータ記録を行う（Ｓ３８）。そして、その際のＲＦ和信号のピークレベル変動量をモニタリングする。コントローラ３２は、このマイナス方向への移動に伴いＲＦ和信号のピークレベル変動量が減少するか否かを判断する（Ｓ４０）。
【００３８】
ＲＦ和信号のピークレベル変動量が減少する場合には、コントローラ３２は、変動量が最小値となるまで、マイナス方向へのフォーカス位置の移動を続行する（Ｓ４２）。そして、ＲＦ和信号のピークレベル変動量が最小値となった時点でのフォーカス位置を記録フォーカス位置として特定する（Ｓ４４）。
【００３９】
一方、フォーカス位置をプラス方向およびマイナス方向のいずれに移動させてもＲＦ和信号のピークレベル変動量が増加する場合（Ｓ３４でＮｏかつＳ４０でＮｏ）の場合は、仮フォーカス位置の時点で、ＲＦ和信号のピークレベル変動量が最小値であると推測できる。したがって、この場合は、再生フォーカス位置と仮オフセット量から求められた仮フォーカス位置を、そのまま、記録フォーカス位置として特定する（Ｓ４６）。
【００４０】
以上の手順で、記録フォーカス位置が決定できれば、当該フォーカス位置でデータ記録を実行する（図５参照、Ｓ１８）。ただし、フォーカス位置と記録品質との関係は、データ記録位置（ディスク半径位置）により適宜、変化することが知られている。したがって、一度記録フォーカス位置を決定した場合であっても、半径方向に、所定距離移動するたびに、再度、記録フォーカス位置の特定を行う（Ｓ２０、Ｓ１８）。これにより、記録位置の違いによる好適なデータ記録が可能となるフォーカス位置が変化したとしても、その補正を行うことができ、常に、好適なフォーカス位置でのデータ記録ができる。その結果、データの記録品質を向上することができる。
【００４１】
なお、ここでは、半径方向に所定距離移動するたびに記録フォーカス位置の特定を行っているが、当然、他のタイミングで記録フォーカス位置の特定動作を行ってもよい。例えば、所定の時間ごとに記録フォーカス位置の特定動作を行ってもよい。すなわち、図５のステップＳ２０における判断基準を、移動距離ではなく経過時間としてもよい。また、繰り返し記録フォーカス位置の特定を行うのではなく、最初に特定された記録フォーカス位置を最後まで用いるようにしてもよい。すなわち、図５のステップＳ２０を省略した処理流れとしてもよい。
【００４２】
また、図６では、ＲＦ和信号のピークレベル変動量が最小の位置を記録フォーカス位置とする場合（図２参照）の流れを説明している。しかし、図３を用いて説明したように、必ずしも、ＲＦ和信号のピークレベル変動量が最小の位置を記録フォーカス位置とする必要はない。したがって、図３を用いて説明したように、ピークレベル変動量が減少する方向に所定量移動させた位置を記録フォーカス位置として特定するようにしてもよい。
【００４３】
以上、説明したように、本実施形態によれば、フォーカス位置を変移させながらデータ記録を行ったときのＲＦ和信号のピークレベル変動量に基づいて記録フォーカス位置を特定している。その結果、データ記録の品質を向上することができる。また、この記録フォーカス位置の特定の際、概略的に決められた仮フォーカス位置を基準としてフォーカス位置を変移させている。そのため、記録フォーカス位置に到達するまでのフォーカス位置の移動量を小さくすることができ、比較的、短時間で簡易に好適な記録フォーカス位置を特定することができる。
【図面の簡単な説明】
【００４４】
【図１】本発明の実施形態である光ディスク装置の概略構成を示す図である。
【図２】仮フォーカス位置と記録フォーカス位置との関係を示す一例である。
【図３】仮フォーカス位置と記録フォーカス位置との関係を示す他の例である。
【図４】仮フォーカス位置と記録フォーカス位置との関係を示す他の例である。
【図５】記録フォーカス位置を特定する場合の流れを示すフローチャートである。
【図６】図５におけるステップＳ１６の詳細を示すフローチャートである。
【符号の説明】
【００４５】
１０  光ディスク装置、１２  スピンドルモータ、１４  光ＰＵ、１８  ＲＦ検出部、２０  サーボ検出部、２４  トラッキング制御部、２６  フォーカス制御部、３０  デコーダ、３２  コントローラ、３４  メモリ。
【図１】
2008004152.tif 000003
【図２】
2008004152.tif 000004
【図３】
2008004152.tif 000005
【図４】
2008004152.tif 000006
【図５】
2008004152.tif 000007
【図６】
2008004152.tif 000008